(57)【要約】【課題】  接着方式を周知の低温ガラス焼結方式の代わりに採用してランプのケースを接合し、該ランプの二つのケースを接着密封してなる構成、且つケース内壁に配置された傾向材料で構成された発光層、該ケースの接合面が包囲する密封空間、該密封空間内に配置された放電反応ガスにより、即ちランプ外部或いは内部に配置された放電電極により励起して光を発生させ、低い製造コストで且つ組立に便利なランプを提供すること。【解決手段】  ランプ（１０）が二つのケース（１１、１２）を接着密封してなり、且つ該ケース（１１、１２）内壁に蛍光材料で構成された発光層（１１１、１２１）が配置され、並びに該ケース（１１、１２）の接合面が密封空間（１３）を包囲し、該密封空間（１３）内に放電反応ガスが配置されたことを特徴とする。【選択図】        図１
0003112538.tif 000002
【実用新案登録請求の範囲】
【請求項１】
ランプにおいて、ランプ（１０）が二つのケース（１１、１２）を接着密封してなり、且つ該ケース（１１、１２）内壁に蛍光材料で構成された発光層（１１１、１２１）が配置され、並びに該ケース（１１、１２）の接合面が密封空間（１３）を包囲し、該密封空間（１３）内に放電反応ガスが配置されたことを特徴とする、ランプ。
【請求項２】
請求項１記載のランプにおいて、二つのケース（１１、１２）の接合位置が框状、棒状或いは点状の接着物（１４）が対向するよう接合されたことを特徴とする、ランプ。
【請求項３】
請求項１記載のランプにおいて、ケース（１１、１２）内に支持補助のための補強リブ（１５）が設けられたことを特徴とする、ランプ。
【請求項４】
請求項１記載のランプにおいて、ケース（１１、１２）に少なくとも一対の電圧差を発生する放電電極が設けられたことを特徴とする、ランプ。
【請求項５】
請求項４記載のランプにおいて、放電電極がケース（１１、１２）内壁或いはケース（１１、１２）外壁に配置されたことを特徴とする、ランプ。
【考案の詳細な説明】
【技術分野】
【０００１】
本考案はランプに係り、特に接着技術により形成されたガス放電ランプに関する。
【背景技術】
【０００２】
ガス放電技術はディスプレイスクリーンの勃興発展下で日々成熟し、その技術の重点は、二つの透光可能なガラスパネルを利用して結晶ガラスソルダリング技術を利用してそれを焼結し、更に減圧して慣性ガスを充填してガス放電ランプを構成し、該ガス放電ランプの内部或いは外部に電圧差を有する少なくとも一対の放電電極を接続し、この放電電極の電圧差を利用して放電反応ガスをイオン化し蛍光材料で構成された発光層を励起して光を発生させ、この光源を液晶ディスプレイスクリーンのバックライトとなし、表示光源を提供する。
【０００３】
ただし、既存のガス放電技術は低温結晶ガラス焼結を採用し、且つディスプレイスクリーンサイズが日増しに大きくなる傾向に対応しなければならず、放電電極の電圧差を高めなければならない各種の因子に制限されるため、製造コストがアップし、一般の中小型ランプには応用できず、且つガラス焼結技術は低温状態でも凝結するが、経常的にガラスパネルの亀裂の形成の情況を発生し、一般のランプに応用するのも困難がある。
【考案の開示】
【考案が解決しようとする課題】
【０００４】
本考案の主要な目的は、上述の欠点を解決し、欠点の存在を回避することにあり、本考案は接着方式を周知の低温ガラス焼結方式の代わりに採用してランプのケースを接合し、該ランプの二つのケースを接着密封してなる構成、且つケース内壁に配置された傾向材料で構成された発光層、該ケースの接合面が包囲する密封空間、該密封空間内に配置された放電反応ガスにより、即ちランプ外部或いは内部に配置された放電電極により励起して光を発生させ、低い製造コストで且つ組立に便利なランプを提供する。
【課題を解決するための手段】
【０００５】
請求項１の考案は、ランプにおいて、ランプ（１０）が二つのケース（１１、１２）を接着密封してなり、且つ該ケース（１１、１２）内壁に蛍光材料で構成された発光層（１１１、１２１）が配置され、並びに該ケース（１１、１２）の接合面が密封空間（１３）を包囲し、該密封空間（１３）内に放電反応ガスが配置されたことを特徴とする、ランプとしている。
請求項２の考案は、請求項１記載のランプにおいて、二つのケース（１１、１２）の接合位置が框状、棒状或いは点状の接着物（１４）が対向するよう接合されたことを特徴とする、ランプとしている。
請求項３の考案は、請求項１記載のランプにおいて、ケース（１１、１２）内に支持補助のための補強リブ（１５）が設けられたことを特徴とする、ランプとしている。
請求項４の考案は、請求項１記載のランプにおいて、ケース（１１、１２）に少なくとも一対の電圧差を発生する放電電極が設けられたことを特徴とする、ランプとしている。
請求項５の考案は、請求項４記載のランプにおいて、放電電極がケース（１１、１２）内壁或いはケース（１１、１２）外壁に配置されたことを特徴とする、ランプとしている。
【考案の効果】
【０００６】
本考案は、上述の従来の欠点を解決し、欠点の存在を回避することにあり、本考案は接着方式を周知の低温ガラス焼結方式の代わりに採用してランプのケースを接合し、該ランプの二つのケースを接着密封してなる構成、且つケース内壁に配置された傾向材料で構成された発光層、該ケースの接合面が包囲する密封空間、該密封空間内に配置された放電反応ガスにより、即ちランプ外部或いは内部に配置された放電電極により励起して光を発生させ、低い製造コストで且つ組立に便利なランプを提供する。
【考案を実施するための最良の形態】
【０００７】
本考案の詳細な説明及び技術内容を図面を組み合わせて以下に説明する。
【０００８】
図１、２、３に示されるように、本考案は一種のランプ１０を提供し、その技術特徴は、ランプ１０が二つのケース１１、１２を接着、密封して構成され、且つ該ケース１１、１２内壁に蛍光材料で組成された発光層１１１、１２１が配置され、並びにケース１１、１２の接合面で密封空間１３が囲まれ、該密封空間１３内に放電反応ガスが配置され、該ケース１１、１２内壁或いは外壁に少なくとも一対の電圧差を発生する放電電極が設けられ、この放電電極の電圧差を利用し、放電反応ガスをイオン化して発光層１１１、１２１を励起し光を発生させる。
【０００９】
本考案の接着技術には図１に示される框状或いは棒状の接着物１４が利用されケース１１、１２が接合されてランプ１０が形成されるか、図２に示されるような点状の接着物１４を利用してケース１１、１２が接着されてランプ１０が形成される。接着前には、ケース１１、１２に先に発光層１１１、１２１或いは内壁放電電極がコーティング或いは印刷され、或いは使用者の必要により、先にケース１１、１２に発光層１１１、１２１が形成されて美観装飾のパターンが形成される。ケース１１、１２には図４、５のように支持補助或いは光源区画のための補強リブ１５を設置可能で、該補強リブ１５は点状、或いは棒状等の表面とされるか接着物を具えた接着方式で接続される。該ランプ１０の光源提供方式はまたケース１１、１２が透明、半透明、或いは不透光の構成方式とされることにより光源を決定可能であり、且つ本考案は接着方式で達成され、ゆえにケース１１、１２は単一ガラス材料に限定されず、広く硬化プラスチック等の材質のケース１１、１２を使用できる。更に図６に示されるように、本考案は単純な方形ケース設計に限定されず、美観設計は球状、星状或いはその他の不規則な美観造形とされ得る。このほか、本考案の接着物１４は直接図７のように星状或いはその他の不規則形状に配列可能で、二つのケース１１、１２内部に配置された発光層１１１、１２１及び密封空間１３が部分区域発光の美観設計とされ得て、これにより本考案の経済効果が増す。
【００１０】
以上は本考案の好ましい実施例であるがこれは本考案の範囲を限定するものではなく、本考案の請求範囲の内容に基づきなしうる細部の修飾或いは改変は、いずれも本考案の請求範囲に属するものとする。
【図面の簡単な説明】
【００１１】
【図１】本考案の第１実施例の外観分解図である。
【図２】本考案の第２実施例の外観分解図である。
【図３】本考案の組合せ断面図である。
【図４】本考案の第３実施例の表示図である。
【図５】本考案の第３実施例の表示図である。
【図６】本考案の第４実施例の表示図である。
【図７】本考案の第５実施例の表示図である。
【符号の説明】
【００１２】
１０  ランプ
１１、１２  ケース
１１１、１２１  発光層
１３  密封空間
１４  接着物
１５  補強リブ
【図１】
0003112538.tif 000003
【図２】
0003112538.tif 000004
【図３】
0003112538.tif 000005
【図４】
0003112538.tif 000006
【図５】
0003112538.tif 000007
【図６】
0003112538.tif 000008
【図７】
0003112538.tif 000009